(57)【要約】  この出願は、移動通信分野に関し、特に移動通信分野におけるデータ伝送技術に関する。データ伝送方法では、基地局は、データ伝送に使用され且つ端末のスケジューリング周期内にある時間ドメインシンボルのいくつかを端末に割り当て、端末は、割り当てられた時間ドメインシンボルに基づいてデータ伝送を実行する。この方法によれば、端末に元々属しているスケジューリング周期内の時間ドメインシンボルがパンクチャされ、毎回のスケジューリング中に端末がデータ伝送に使用され且つスケジューリング周期内にある全ての時間ドメインシンボルを占有するときに引き起こされるリソースの浪費が回避でき、それにより、無線リソースが、遅延及び帯域幅に対する要件に基づいて柔軟に割り当てられることができ、それにより、リソース利用率を改善する。
2019500817.tif 000002
【特許請求の範囲】
【請求項１】
基地局により、第１の時間ドメインシンボル設定情報を送信するステップであり、前記第１の時間ドメインシンボル設定情報は、スケジューリング周期内に第１の端末に割り当てられた第１の時間ドメインシンボルを示すために使用され、前記スケジューリング周期は、データ伝送に使用される複数の時間ドメインシンボルを含み、データ伝送に使用される前記複数の時間ドメインシンボルは、前記第１の時間ドメインシンボルと、前記第１の端末に割り当てられていない第２の時間ドメインシンボルとを含むステップと、
前記基地局により、前記第１の時間ドメインシンボルに基づいて前記第１の端末とデータ伝送を実行するステップと
を含むデータ伝送方法。
【請求項２】
前記基地局により、前記第１の時間ドメインシンボル又は前記第２の時間ドメインシンボル内で参照信号を送信するステップを更に含む、請求項１に記載の方法。
【請求項３】
前記基地局により、第２の時間ドメインシンボル設定情報を送信するステップであり、前記第２の時間ドメインシンボル設定情報は、第２の端末に割り当てられた前記第２の時間ドメインシンボルを示すために使用されるステップを更に含む、請求項１又は２に記載の方法。
【請求項４】
前記第１の時間ドメインシンボルの数は、前記スケジューリング周期内で前記第１の端末のトランスポートブロックサイズTBSを決定するために使用されるパラメータの１つである、請求項１乃至３のうちいずれか１項に記載の方法。
【請求項５】
基地局により、第１の時間ドメインシンボル設定情報を第１の端末に送信するステップは、
前記基地局により、シグナリングメッセージを使用することにより、前記第１の時間ドメインシンボル設定情報を送信するステップ、又は
前記基地局により、下りリンク制御情報DCIを使用することにより、前記第１の時間ドメインシンボル設定情報を送信するステップ
を含む、請求項１乃至４のうちいずれか１項に記載の方法。
【請求項６】
前記第１の時間ドメインシンボル設定情報は、時間ドメインシンボル設定識別子を含み、
前記時間ドメインシンボル設定識別子は、前記第１の時間ドメインシンボルを示すために使用され且つ前記第１の端末上に予め設定された設定を識別するために使用される、請求項１乃至５のうちいずれか１項に記載の方法。
【請求項７】
前記基地局により、前記第１の時間ドメインシンボルに基づいて前記第１の端末とデータ伝送を実行するステップは、前記基地局により、前記第１の時間ドメインシンボル内で、データを前記第１の端末に送信するステップを含み、
データ伝送に使用される前記複数の時間ドメインシンボルは、物理下りリンク制御チャネルPDCCHにより占有される時間ドメインシンボルを含まない、請求項１乃至６のうちいずれか１項に記載の方法。
【請求項８】
前記基地局により、前記第１の時間ドメインシンボルに基づいて前記第１の端末とデータ伝送を実行するステップは、前記基地局により、前記第１の時間ドメインシンボル内で、前記第１の端末により送信されたデータを受信するステップを含み、
データ伝送に使用される前記複数の時間ドメインシンボルは、復調参照信号DMRSにより占有される時間ドメインシンボルを含まない、請求項１乃至６のうちいずれか１項に記載の方法。
【請求項９】
第１の時間ドメインシンボル設定情報を送信するように構成されたトランシーバであり、前記第１の時間ドメインシンボル設定情報は、スケジューリング周期内に第１の端末に割り当てられた第１の時間ドメインシンボルを示すために使用され、前記スケジューリング周期は、データ伝送に使用される複数の時間ドメインシンボルを含み、データ伝送に使用される前記複数の時間ドメインシンボルは、前記第１の時間ドメインシンボルと、前記第１の端末に割り当てられていない第２の時間ドメインシンボルとを含むトランシーバと、
前記第１の時間ドメインシンボルに基づいて前記第１の端末とデータ伝送を実行するように、前記トランシーバを制御するように構成された少なくとも１つのプロセッサと
を含む基地局。
【請求項１０】
前記トランシーバは、前記第１の時間ドメインシンボル又は前記第２の時間ドメインシンボル内で参照信号を送信するように更に構成される、請求項９に記載の基地局。
【請求項１１】
前記トランシーバは、第２の時間ドメインシンボル設定情報を送信するように更に構成され、前記第２の時間ドメインシンボル設定情報は、第２の端末に割り当てられた前記第２の時間ドメインシンボルを示すために使用される、請求項９又は１０に記載の基地局。
【請求項１２】
前記第１の時間ドメインシンボルの数は、前記スケジューリング周期内で前記第１の端末のトランスポートブロックサイズTBSを決定するために使用されるパラメータの１つである、請求項９乃至１１のうちいずれか１項に記載の基地局。
【請求項１３】
前記トランシーバは、
シグナリングメッセージを使用することにより、前記第１の時間ドメインシンボル設定情報を送信するか、或いは
下りリンク制御情報DCIを使用することにより、前記第１の時間ドメインシンボル設定情報を送信するように構成される、請求項９乃至１２のうちいずれか１項に記載の基地局。
【請求項１４】
前記第１の時間ドメインシンボル設定情報は、時間ドメインシンボル設定識別子を含み、
前記時間ドメインシンボル設定識別子は、前記第１の時間ドメインシンボルを示すために使用され且つ前記第１の端末上に予め設定された設定を識別するために使用される、請求項９乃至１３のうちいずれか１項に記載の基地局。
【請求項１５】
前記少なくとも１つのプロセッサは、前記第１の時間ドメインシンボル内で、データを前記第１の端末に送信するように、前記トランシーバを制御するように構成され、
データ伝送に使用される前記複数の時間ドメインシンボルは、物理下りリンク制御チャネルPDCCHにより占有される時間ドメインシンボルを含まない、請求項９乃至１４のうちいずれか１項に記載の基地局。
【請求項１６】
前記少なくとも１つのプロセッサは、前記第１の時間ドメインシンボル内で、前記第１の端末により送信されたデータを受信するように、前記トランシーバを制御するように構成され、
データ伝送に使用される前記複数の時間ドメインシンボルは、復調参照信号DMRSにより占有される時間ドメインシンボルを含まない、請求項９乃至１４のうちいずれか１項に記載の基地局。
【請求項１７】
時間ドメインシンボル設定情報を受信するように構成されたトランシーバであり、前記時間ドメインシンボル設定情報は、スケジューリング周期内に端末に割り当てられた第１の時間ドメインシンボルを示すために使用され、前記スケジューリング周期は、データ伝送に使用される複数の時間ドメインシンボルを含み、データ伝送に使用される前記複数の時間ドメインシンボルは、前記第１の時間ドメインシンボルと、前記端末に割り当てられていない第２の時間ドメインシンボルとを含むトランシーバと、
前記第１の時間ドメインシンボルに基づいてデータ伝送を実行するように、前記トランシーバを制御するように構成された少なくとも１つのプロセッサと
を含む端末。
【請求項１８】
前記トランシーバは、前記第１の時間ドメインシンボル又は前記第２の時間ドメインシンボル内で参照信号を受信するように更に構成される、請求項１７に記載の端末。
【請求項１９】
前記スケジューリング周期内の前記端末のトランスポートブロックサイズTBSは、前記第１の時間ドメインシンボルの数に基づいて決定される、請求項１７又は１８に記載の端末。
【請求項２０】
前記トランシーバは、
前記時間ドメインシンボル設定情報を含むシグナリングメッセージを受信するか、或いは
前記時間ドメインシンボル設定情報を含む下りリンク制御情報DCIを受信するように構成される、請求項１７乃至１９のうちいずれか１項に記載の端末。
【請求項２１】
前記時間ドメインシンボル設定情報は、時間ドメインシンボル設定識別子を含み、
前記時間ドメインシンボル設定識別子は、前記第１の時間ドメインシンボルを示すために使用され且つ前記端末上に予め設定された設定を識別するために使用される、請求項１７乃至２０のうちいずれか１項に記載の端末。
【請求項２２】
前記少なくとも１つのプロセッサは、前記第１の時間ドメインシンボル内で、データを受信するように、前記トランシーバを制御するように構成され、
データ伝送に使用される前記複数の時間ドメインシンボルは、物理下りリンク制御チャネルPDCCHにより占有される時間ドメインシンボルを含まない、請求項１７乃至２１のうちいずれか１項に記載の端末。
【請求項２３】
前記少なくとも１つのプロセッサは、前記第１の時間ドメインシンボル内で、データを送信するように、前記トランシーバを制御するように構成され、
データ伝送に使用される前記複数の時間ドメインシンボルは、復調参照信号DMRSにより占有される時間ドメインシンボルを含まない、請求項１７乃至２１のうちいずれか１項に記載の端末。
【発明の詳細な説明】
【技術分野】
【０００１】
本発明は、通信技術の分野に関し、特に端末、基地局、データ伝送方法に関する。
【背景技術】
【０００２】
ロングタームエボリューション（long  term  evolution,  LTE）ネットワークでは、伝送時間間隔（transmission  time  interval,  TTI）を単位として使用することにより、時間周波数リソースが端末に割り当てられる。換言すると、端末は、TTIの周期でスケジューリングされる。このスケジューリングモードは、TTIスケジューリングモードと呼ばれ、従来のスケジューリングモードである。異なるネットワーク構成では、TTIの値は時間に関して異なってもよい。通常では１つのTTIは、時間に関して1ミリ秒（millisecond,  ms）に等しい。LTE周波数分割複信（Frequency  Division  Duplex,  FDD）ネットワークにおいて、基地局がデータを端末に送信する時点から、端末が応答をフィードバックする時点までの持続時間は、8msである。換言すると、基地局がデータを送信する時点から、データが成功して送信されたか否かを基地局が習得する時点まで8msの遅延が存在する。
【０００３】
LTEネットワークの普及と共に、高精細度ビデオ及び仮想現実のような様々なサービスが急速に発展している。これらのサービスの出現は、LTEネットワークに対してより高い帯域幅及びより低い遅延の要件を課している。LTEネットワークにおいて、時間ドメインにおける１つのサブフレーム（sub  frame）は１つのTTIに対応し、１つのサブフレームは２つのタイムスロット（slot）で構成され、各タイムスロットは0.5msを占有する。１つのタイムスロットは複数のシンボル（symbol）で構成される。通常のサイクリックプレフィクス（normal  cyclic  prefix）が設定されたときに、１つのタイムスロットは７個のシンボルを含み、拡張サイクリックプレフィクス（extended  cyclic  prefix）が設定されたときに、１つのタイムスロットは６個のシンボルを含む。このことを鑑みて、遅延を低減するために、新たなスケジューリングモード、すなわち、より短いTTI（shorter  TTI）スケジューリングモードが提供される。具体的には、端末は、1ミリ秒未満の周期、例えば、１つのslot又は１つのsymbolでスケジューリングされる。LTE  FDDネットワークにおいて、端末が１つのsymbolの周期でスケジューリングされる例を使用すると、基地局がデータを端末に送信する時点から、端末が応答をフィードバックするまでの持続時間は、８個のsymbolまで低減される。換言すると、基地局がデータを送信する時点から、データが成功して送信されたか否かを基地局が習得する時点まで８個のsymbolの遅延が存在し、それにより遅延が1ミリ秒未満になる。より短いTTIスケジューリングモードが適用された後に、遅延時間は劇的に低減されることが習得できる。
【０００４】
前述の２つのスケジューリングモードが同じLTEネットワークに存在するときに、無線リソースの浪費が引き起こされる。
【発明の概要】
【０００５】
この出願は、無線リソース利用率を改善し、特に、異なるスケジューリング周期を有する無線ネットワークの無線リソース利用率を改善するための端末、基地局及びデータ伝送方法を記載する。
【０００６】
第１の態様によれば、本発明の実施例は、データ伝送方法を提供する。この方法は、基地局により、第１の時間ドメインシンボル設定情報を第１の端末に送信するステップであり、第１の時間ドメインシンボル設定情報は、スケジューリング周期内に第１の端末に割り当てられた第１の時間ドメインシンボルを示すために使用されるステップと、基地局により、第１の時間ドメインシンボルに基づいて第１の端末とデータ伝送を実行するステップであり、スケジューリング周期は、データ伝送に使用される複数の時間ドメインシンボルを含み、データ伝送に使用される複数の時間ドメインシンボルは、第１の時間ドメインシンボルと、第１の端末に割り当てられていない第２の時間ドメインシンボルとを含むステップとを含む。具体的には、基地局は、データ伝送に使用され且つスケジューリング周期内にある時間ドメインシンボルのいくつかを第１の端末に割り当て、第１の端末に割り当てられた時間ドメインシンボルに基づいてデータ伝送を実行し、例えば、データを第１の端末に送信するか、或いは第１の端末からデータを受信する。この方法によれば、端末のスケジューリング周期内で、全ての時間ドメインシンボルが端末に割り当てられるとは限らず、その代わりに、時間ドメインシンボルのいくつかがデータ伝送のために端末に割り当てられる。これは、端末に元々属している時間ドメインシンボルがパンクチャ（puncture）され、端末がデータ伝送のためにパンクチャされていない時間ドメインシンボルを占有することと等価である。したがって、時間ドメインシンボルのいくつかは、データ伝送のためにスケジューリング周期内で端末に柔軟に割り当てられてもよく、それにより、リソースの浪費を回避する。
【０００７】
可能な設計では、基地局は、第１の時間ドメインシンボル又は第２の時間ドメインシンボル内で参照信号を第１の端末に送信してもよい。この設計は、元の参照信号送信方式と互換性を有することができ、それにより、第１の端末の伝送品質が確保できる。
【０００８】
他の可能な設計では、基地局は、第２の時間ドメインシンボル設定情報を第２の端末に更に送信してもよい。第２の時間ドメインシンボル設定情報は、スケジューリング周期内に第２の端末に割り当てられた時間ドメインシンボルを示すために使用される。例えば、第２の時間ドメインシンボルが第２の端末に割り当てられてもよく、或いは第２の時間ドメインシンボルの一部が第２の端末に割り当てられてもよい。この設計によれば、無線リソースが十分に使用でき、それにより、無線リソースの浪費を回避する。
【０００９】
更に他の可能な設計では、第１の時間ドメインシンボル又は第２の時間ドメインシンボルの数は、第１の端末又は第２の端末の伝送要件、例えば、帯域幅及び遅延に対する要件に基づいて決定されてもよい。この設計によれば、無線リソースが適切に分配できる。
【００１０】
更に他の可能な設計では、スケジューリング周期内の第１の端末のトランスポートブロックサイズは、第１の時間ドメインシンボルの数に基づいて決定されてもよい。同様に、スケジューリング周期内の第２の端末のトランスポートブロックサイズは、第２の端末に割り当てられた第２の時間ドメインシンボルの数に基づいて決定されてもよい。
【００１１】
更に他の可能な設計では、第１の時間ドメインシンボル設定情報は、下りリンク制御情報内で搬送され、第１の端末に送信されてもよい。この設計によれば、時間ドメインシンボル設定情報は、第１の端末がスケジューリングされる毎に送信されてもよく、それにより、シンボル割り当ての柔軟性が改善される。同様に、第２の時間ドメインシンボル設定情報は、下りリンク制御情報内で搬送され、第２の端末に送信されてもよい。
【００１２】
更に他の可能な設計では、時間ドメインシンボル設定情報は、シグナリングメッセージ内で搬送され、第１の端末に送信されてもよく、例えば、無線リソース制御メッセージ又はブロードキャストメッセージ内で搬送されてもよい。この設計では、第１の端末は、受信した時間ドメインシンボル設定情報を記憶してもよい。第１の端末がスケジューリングされる毎に、第１の端末は、時間ドメインシンボル設定情報を使用することにより、割り当てられた時間ドメインシンボルを決定する。その後、第１の端末が時間ドメインシンボル設定情報を再び受信した後に、第１の端末は、ローカルに記憶された時間ドメインシンボル設定情報を更新してもよい。この設計によれば、時間ドメインシンボルの半静的なスケジューリングが実現され、それにより、シグナリングオーバーヘッドを低減する。同様に、第２の時間ドメインシンボル設定情報は、シグナリングメッセージ内で搬送され、第２の端末に送信されてもよい。
【００１３】
更に他の可能な設計では、第１のドメインシンボルを示すために使用される異なる設定、例えば、設定１：「シンボル1-3」及び設定２：「シンボル3-10」は、第１の端末上で予め設定されてもよい。対応して、第１の時間ドメインシンボル設定情報は、時間ドメインシンボル設定識別子を含んでもよく、識別子は、第１の端末上に予め設定された設定を識別するために使用される。このように、シグナリングオーバーヘッドが低減できる。同様に、この設計はまた、第２の時間ドメインシンボル設定情報に適用されてもよい。
【００１４】
更に他の可能な設計では、下りリンク伝送について、データ伝送に使用される時間ドメインシンボルは、物理下りリンク制御チャネルにより占有されるシンボルを含まない。換言すると、物理下りリンク制御チャネルにより占有されるシンボルは、第２の端末に割り当てられない。この設計によれば、制御情報が第１の端末に正確に送信できることが確保できる。
【００１５】
更に他の可能な設計では、上りリンク伝送について、データ伝送に使用される時間ドメインシンボルは、復調参照信号により占有されるシンボルを含まない。換言すると、復調参照信号により占有されるシンボルは、第２の端末に割り当てられない。復調参照信号は、スケジューリング周期が属する端末により基地局に送信される参照信号である。この設計によれば、基地局は、端末により送信された復調上りリンクデータを正確に復調できるか、或いはチャネル品質を推定できる。
【００１６】
第２の態様によれば、本発明の実施例は、データ伝送方法を提供する。この方法は、
第１の端末により、基地局から時間ドメインシンボル設定情報を受信するステップであり、時間ドメインシンボル設定情報は、スケジューリング周期内に第１の端末に割り当てられた第１の時間ドメインシンボルを示すために使用されるステップと、第１の端末により、第１の時間ドメインシンボルに基づいてデータ伝送を実行するステップであり、スケジューリング周期は、データ伝送に使用される複数の時間ドメインシンボルを含み、データ伝送に使用される複数の時間ドメインシンボルは、第１の時間ドメインシンボルと、第１の端末に割り当てられていない第２の時間ドメインシンボルとを含むステップとを含む。換言すると、基地局は、データ伝送に使用され且つスケジューリング周期内にある時間ドメインシンボルのいくつかを第１の端末に割り当て、第１の端末は、割り当てられた時間ドメインシンボルに基づいてスケジューリング周期内で基地局とデータ伝送を実行し、例えば、データを基地局に送信するか、或いは基地局からデータを受信する。この方法によれば、端末は、スケジューリング周期内の時間ドメインシンボルのいくつかでデータ伝送を実行でき、それにより、スケジューリング周期内の端末のデータ伝送がより柔軟になり、それにより、リソース利用効率を改善する。
【００１７】
第２の態様において、関係する可能な設計について、第１の態様における様々な可能な設計を参照し、詳細はここでは再び説明しない。
【００１８】
第３の態様によれば、本発明の実施例は、基地局を提供する。基地局は、第１の態様又は第２の態様による方法における基地局のステップを実現するための機能を有する。機能は、ハードウェアを使用することにより実現されてもよく、或いはハードウェアにより対応するソフトウェアを実行することにより実現されてもよい。ハードウェア又はソフトウェアは、前述の機能に対応する１つ以上のモジュールを含む。
【００１９】
可能な設計では、基地局の構造は、プロセッサ及びトランシーバを含む。プロセッサは、前述の方法における対応する機能を実行するように、基地局をサポートするように構成される。トランシーバは、基地局と端末との間の通信をサポートし、前述の方法において使用される情報又は命令を端末に送信するように構成される。基地局は、メモリを更に含んでもよい。メモリは、プロセッサに結合し、基地局の必要なプログラム命令及びデータを記憶するように構成される。
【００２０】
第４の態様によれば、本発明の実施例は、端末を提供する。端末は、第１の態様又は第２の態様による方法の設計における端末のステップを実現するための機能を有する。機能は、ハードウェアを使用することにより実現されてもよく、或いはハードウェアにより対応するソフトウェアを実行することにより実現されてもよい。ハードウェア又はソフトウェアは、前述の機能に対応する１つ以上のモジュールを含む。モジュールは、ソフトウェア及び／又はハードウェアでもよい。端末は、第３の態様による基地局と共に、第１の態様又は第２の態様によるデータ伝送方法を実現してもよい。
【００２１】
可能な設計では、端末の構造は、トランシーバ及びプロセッサを含む。トランシーバは、基地局により送信された時間ドメインシンボル設定情報を受信するように、端末をサポートするように構成される。プロセッサは、時間ドメインシンボル設定情報により示された第１のシンボルに基づいて基地局とデータ伝送を実行するように、トランシーバを制御する。
【００２２】
第５の態様によれば、本発明の実施例は、通信システムを提供する。システムは、前述の態様による基地局及び端末を含む。
【００２３】
第６の態様によれば、本発明の実施例は、基地局により使用されるコンピュータソフトウェア命令を記憶するように構成されたコンピュータ記憶媒体を提供する。コンピュータソフトウェア命令は、前述の態様を実行するように設計されたプログラムを含む。
【００２４】
第７の態様によれば、本発明の実施例は、前述の端末により使用されるコンピュータソフトウェア命令を記憶するように構成されたコンピュータ記憶媒体を提供する。コンピュータソフトウェア命令は、前述の態様を実行するように設計されたプログラムを含む。
【００２５】
本発明の実施例によれば、端末のスケジューリング周期内で、全ての時間ドメインシンボルが端末に割り当てられるとは限らず、その代わりに、時間ドメインシンボルのいくつかがデータ伝送のために端末に割り当てられる。これは、端末に元々属している時間ドメインシンボルがパンクチャされ、端末がデータ伝送のためにパンクチャされていない時間ドメインシンボルを占有することと等価であり、パンクチャされた時間ドメインシンボルは、他の端末に割り当てられてもよく、それにより、端末と基地局との間のデータ伝送がスケジューリング周期内でより柔軟になる。したがって、無線リソースは、遅延及び帯域幅に対する要件に基づいて適切に割り当てられることができ、それにより、リソース利用率を改善する。
【図面の簡単な説明】
【００２６】
本発明の実施例における技術的解決策をより明確に説明するために、以下に、実施例を説明するために必要な添付図面について簡単に紹介する。明らかに、以下の説明における添付図面は、本発明の単にいくつかの実施例を示しているに過ぎず、当業者は、創造的取り組みなしに、依然としてこれらの添付図面から他の図面を導き得る。
【図１】本発明の実施例による無線ネットワークのアーキテクチャの図である。
【図２】本発明の実施例によるLTEネットワークの適用シナリオの概略図である。
【図３】本発明の実施例によるLTEネットワークの時間周波数リソースの概略図である。
【図４ａ】本発明の実施例に従って端末に割り当てられた下りリンク伝送のための時間周波数リソースの概略図である。
【図４ｂ】本発明の実施例に従って端末に割り当てられた下りリンク伝送のための時間周波数リソースの他の概略図である。
【図４ｃ】本発明の実施例に従って端末に割り当てられた下りリンク伝送のための時間周波数リソースの更に他の概略図である。
【図４ｄ】本発明の実施例に従って端末に割り当てられた下りリンク伝送のための時間周波数リソースの更に他の概略図である。
【図５ａ】本発明の実施例によるデータ伝送方法の概略図である。
【図５ｂ】本発明の実施例による他のデータ伝送方法の概略図である。
【図５ｃ】本発明の実施例による更に他のデータ伝送方法の概略図である。
【図６】本発明の実施例による更に他のデータ伝送方法の概略図である。
【図７】本発明の実施例による基地局の概略アーキテクチャ図である。
【図８】本発明の実施例による端末の概略アーキテクチャ図である。
【発明を実施するための形態】
【００２７】
図１は、本発明の実施例による無線ネットワークのアーキテクチャの図である。図１に示すように、端末は、無線アクセスネットワーク（radio  access  network,  RAN）及びコアネットワーク（core  network,  CN）を使用することにより、外部ネットワーク（external  network）にアクセスできる。技術の発展と共に、代替として、端末は、無線アクセスネットワークを使用することにより、外部ネットワークに直接アクセスしてもよい。本発明の実施例において記載する技術的解決策は、無線リソースが時間ドメインにおいて分割できる通信ネットワークに適用可能でもよい。通信ネットワークのアーキテクチャが図１に示され得る。通信ネットワークは、様々な無線アクセス技術を使用した無線通信ネットワーク、例えば、符号分割多元接続、周波数分割多元接続、時分割多元接続、直交周波数多元接続、シングルキャリア周波数多元接続のようなアクセス技術を使用したネットワーク、並びに4.5G（generation）ネットワーク、5Gネットワーク及びモノのインターネットのような様々な以降の進化したネットワークでもよい。
【００２８】
この出願において、「ネットワーク」、「無線ネットワーク」及び「システム」という名詞が、通常通り交替で使用されるが、当業者はこれらの意味を理解できる。
【００２９】
この出願において、「複数」は「２つ以上」を意味する。
【００３０】
この出願において使用される端末（terminal）は、様々なハンドヘルドデバイス、車載デバイス、ウェアラブルデバイス、及び無線通信機能を有するコンピューティングデバイス又は無線モデムに接続された他の処理デバイス、並びに様々な形式のユーザ装置（user  equipment,  UE）、移動局（mobile  station,  MS）、端末装置（terminal  equipment,  TE）等を含んでもよい。説明を簡単にするために、この出願において、前述のデバイスは、併せて端末と呼ばれる。
【００３１】
この出願において使用される基地局（base  station,  BS）は、無線アクセスネットワークに配置され且つ端末のための無線通信機能を提供するように構成された装置である。基地局は、様々な形式のマクロ基地局、マイクロ基地局、中継局、アクセスポイント等を含んでもよい。異なる無線アクセス技術を使用したシステムでは、基地局機能を有するデバイスの名前は異なってもよい。例えば、LTEネットワークにおいて進化型ノードB（evolved  NodeB,  略称：eNB又はeNodeB）と呼ばれるデバイスは、3GネットワークにおいてノードB（Node  B）と呼ばれる。説明を簡単にするために、この出願において、端末のための無線通信機能を提供する前述の装置は、併せて基地局又はBSと呼ばれる。
【００３２】
この出願において使用されるデータ伝送は、データチャネルを使用することにより実行されるデータ伝送である。データ伝送は、上りリンクデータ伝送及び下りリンクデータ伝送を含む。上りリンクデータ伝送は、端末がデータを基地局に送信することを意味する。上りリンクデータ伝送に使用される無線リソースは、上りリンクデータリソースと呼ばれてもよい。上りリンクデータ伝送は、一種の上りリンク伝送である。下りリンクデータ伝送は、基地局がデータを端末に送信することを意味する。下りリンクデータ伝送に使用される無線リソースは、下りリンクデータリソースと呼ばれる。下りリンクデータ伝送は、一種の下りリンク伝送である。LTEネットワークにおいて、下りリンクデータ伝送に使用されるデータチャネルは、物理下りリンク共有チャネル（physical  downlink  shared  channel,  PDSCH）であり、上りリンクデータ伝送に使用されるデータチャネルは、物理上りリンク共有チャネル（physical  uplink  shared  channel,  PUSCH）である。無線ネットワークにおけるいくつかの制御チャネルは、制御情報を伝送できるだけでなく、データも伝送できる点に留意すべきである。任意選択で、これらの制御チャネルもまた、データチャネルと考えられてもよい。さらに、データチャネルは、異なる無線ネットワークにおいて異なる名前を有してもよく、例えば、データチャネル、データトンネル、データキャリア及びデータ接続と呼ばれてもよい。さらに、１つのネットワークにおいて、上りリンクデータ伝送又は下りリンクデータ伝送に使用される複数のデータチャネルが存在してもよい。相対的に、制御チャネルを使用することによる制御情報の伝送は、制御情報伝送と呼ばれる。
【００３３】
この出願において、時間ドメインにおけるシンボルは、時間ドメインシンボルと呼ばれ、場合によっては略してシンボルと呼ばれる。一般的に、異なる利用に基づいて、時間ドメインシンボルは、データ伝送に使用される時間ドメインシンボルと、制御情報伝送に使用される時間ドメインシンボルとに分類されてもよい。異なるアクセス技術に基づいて、代替として、時間ドメインシンボルは、異なるアクセス技術に対応する時間ドメインシンボル、例えば、直交周波数分割多重（orthogonal  frequency  division  multiplexing,  OFDM）シンボル及びシングルキャリア周波数分割多元接続（single  carrier  frequency  division  multiple  access,  SC-FDMA）シンボルに分類されてもよい。時間ドメインシンボルは、異なる無線ネットワークにおいて異なってもよい。同じ無線ネットワークにおいて、異なる時間ドメインシンボルが存在してもよい。例えば、LTEネットワークにおいて、下りリンク伝送において使用される時間ドメインシンボルはOFDMシンボルであり、上りリンク伝送において使用される時間ドメインシンボルはSC-FDMAシンボルである。
【００３４】
この出願において使用されるスケジューリングは、上りリンクリソース又は下りリンクリソースを端末に割り当てることを意味し、それにより、端末は、割り当てられた無線リソースに基づいてデータ伝送を実行する。スケジューリング周期は、時間ドメインにおいて１回スケジューリングで使用される無線リソースの範囲である。例えば、LTEネットワークにおいて、TTIスケジューリングモードではスケジューリング周期は１つのTTIであり、より短いTTIスケジューリングモードではスケジューリング周期は１つのTTI未満である。例えば、スケジューリング周期は、１つのslot又は１つのsymbolでもよい。この出願におけるスケジューリング周期の具体的な例は、スケジューリング周期に対する限定を構成せず、当業者は、この出願において提供される技術が異なる時間長のスケジューリング周期に適用されてもよいことを認識すべきである。
【００３５】
この出願において、当業者は、時間ドメインシンボルに基づくデータ伝送が時間ドメインシンボルの時間範囲内のデータ伝送を意味することを理解し得る。
【００３６】
本発明の実施例における技術的解決策をより明確に説明するために、本発明の実施例について、LTEネットワークを例として使用することにより説明する。LTEネットワークにおいて、進化型UMTS地上無線アクセス（evolved  universal  terrestrial  radio  access,  E-UTRA）ネットワークが無線アクセスネットワークとしての役目をし、進化型パケットコア（evolved  packet  core,  EPC）ネットワークがコアネットワークとしての役目をする。本発明の実施例において記載されるネットワークアーキテクチャ及びサービスシナリオは、本発明の実施例における技術的解決策をより明確に説明する目的のためのものであり、本発明の実施例において提供される技術的解決策に対する限定を構成しない点に留意すべきである。当業者は、ネットワークアーキテクチャが進化して新たなサービスシナリオが出現するとともに、本発明の実施例において提供される技術的解決策もまた同様の技術的課題にも適用可能であることを認識し得る。
【００３７】
図２は、無線アクセスネットワークがLTEネットワークである例を記載している。このシナリオでは、端末A、端末B及び基地局が含まれる。端末AはTTIスケジューリングモードをサポートしており、したがって、端末Aのスケジューリング周期は１つのTTIである。端末Bはより短いTTIスケジューリングモードをサポートしており、端末Bのスケジューリング周期は１つのsymbolであることが仮定される。この出願の技術的解決策におけるスケジューリング周期の値は限定されない。例えば、スケジューリング周期は、２つのTTI又は2秒等でもよい。説明を簡単にするために、以下の実施例は、スケジューリング周期が１つのTTIであり、スケジューリング周期が１つのsymbolである例について説明する。
【００３８】
LTEネットワークにおいて、無線リソースは、通常では時間周波数リソースの概略図の形式で表される。図３に示すように、縦軸は周波数ドメインを表し、横軸は時間ドメインを表す。周波数ドメインにおける各グリッドは１つのサブキャリアを表し、時間ドメインにおける各グリッドは１つのシンボルを表し、１つのサブキャリア及び１つのシンボルを含むグリッドはリソースエレメント（resource  element,  RE）を表す。リソースエレメントはまた、リソース粒子又はリソース単位とも呼ばれてもよい。一般的に、１つのリソースブロック（resource  block,  RB）は周波数ドメインにおいて１２個の連続するサブキャリアを含み、時間ドメインにおいて７個の連続するシンボルを含む。したがって、１つのRBは、８４個のREを含む。１つのサブフレームは、偶数番号タイムスロットと奇数番号タイムスロットとを含む。１つのRBは、１つのタイムスロットを占有する。２つのRBは、RBペア（RB  pair）を形成し、RBペアは、時間ドメインにおいて１つのサブフレームを占有し、具体的には、１つのTTIを占有する。２つのRBは、同じ周波数ドメイン範囲を占有してもよく、或いは異なる周波数ドメイン範囲を占有してもよい。TTIスケジューリングモードでは、基地局は、RBを周波数ドメインにおける最小割り当て単位として使用することにより、上りリンク／下りリンク帯域幅において端末に割り当てられる周波数ドメインリソースを決定する。時間ドメインでは、毎回割り当てられるリソースは、１つのサブフレーム、具体的には、１つのTTIを占有する。より短いTTIスケジューリングモードでは、基地局は、RBを周波数ドメインにおける最小割り当て単位として使用することにより、上りリンク／下りリンク帯域幅において端末に割り当てられる周波数ドメインリソースを決定する。時間ドメインでは、毎回割り当てられるリソースは、１つのTTI未満を占有する。
【００３９】
図２におけるシナリオに基づいて、図４ａは、基地局により端末Aに割り当てられた下りリンク伝送のための時間周波数リソースの概略図である。説明を簡単にするために、周波数ドメインでは、異なるRBは、異なる周波数ドメイン範囲を表すために使用される。図４ａは、２つの異なる周波数ドメイン範囲を含み、一方はRB  mであり、他方はRB  m+1である。実際に、基地局が時間周波数リソースを端末Aに割り当てる毎に、基地局は、周波数ドメインにおいて複数のRBを割り当ててもよい。説明を簡単にするために、図４ａでは、単に、端末Aが周波数ドメインにおいて１つのRBを割り当てる例を使用することにより、説明が提供される。端末Aのスケジューリング周期は１つのTTI、具体的には、１つのサブフレームであるため、基地局が時間周波数リソースを端末Aに割り当てる毎に、割り当てられた時間周波数リソースの長さは時間ドメインにおいて１つのサブフレームになる。横軸の0-13は、サブフレームnの時間ドメインにおける１４個のシンボルを表し、縦軸の0-11は、RB  m又はRB  m+1の周波数ドメインにおける１２個のサブキャリアを表す。図１４ａに示すように、シンボル0及びシンボル1は、物理下りリンク制御チャネル（physical  downlink  control  channel,  PDCCH）により占有され、PDCCHは、制御情報を伝送するために主に使用される。いくつかのシナリオでは、PDCCHは、代替としてシンボル0-3を占有してもよい。図４ａでは、シンボル2-13は、データ伝送に使用され、データ伝送に使用される時間ドメインシンボルと呼ばれる。図４ａでは、基地局は、RB  mを端末Aに割り当てる。端末Aのスケジューリング周期は１つのTTIであるため、端末Aは、データ伝送に使用され且つ時間ドメインにおける全体サブフレーム内にある全てのシンボルをデータ伝送のために占有する。具体的には、全てのシンボルはシンボル2-13である。したがって、端末Aは、データ伝送のために図４ａの右側の斜線部内のREを占有する。
【００４０】
端末Bのスケジューリング周期は１つのシンボルであり、そのため、毎回割り当てられる時間周波数リソースの長さは時間ドメインにおいて１つのシンボルである。周波数ドメインにおいて、複数のRBが端末Bに割り当てられてもよい。図４ａにおいて周波数ドメインにおけるリソースを適切に使用するために、時間周波数リソースが同じサブフレーム内で端末Bに割り当てられることが考えられてもよい。図４ｂに示すように、RB  m+1が周波数ドメインにおいて端末Bに割り当てられ、シンボル13が時間ドメインにおいて端末Bに割り当てられる。したがって、端末Bは、データ伝送のために図４ｂの灰色のREを占有する。
【００４１】
端末Bの低遅延及び高帯域幅についての伝送要件が優先的に考慮されることを仮定すると、データ伝送に使用され且つサブフレームn+1内にある第１のシンボルにおいて、全ての残りのデータが端末Bに送信される必要がある（例えば、全ての残りのデータが２４個のREを占有する必要がある）。図４ｃに示すように、基地局は、サブフレームn+1内のシンボル2を端末Bに割り当てる。図４ｃの場合、端末Bは、サブフレームn+1内のシンボル2内の周波数ドメインにおける２つのRBの全てのサブキャリアを占有し、したがって、端末Aはサブフレームn+1内でデータ伝送を実行できない。端末Aのスケジューリング周期は１つのサブフレームであるため、データ伝送に使用され且つ１つのサブフレーム内にある全てのシンボルが、伝送のために占有される必要がある。具体的には、サブフレームn+1内のシンボル2-13は、データ伝送のために占有される。
【００４２】
端末Aの要件が優先的に考慮されることを仮定すると、端末Aのデータは、次のサブフレームn+1内で優先的に伝送される。図４ｄに示すように、端末Aは、サブフレームn+1内で周波数ドメインにおけるRB  m内でデータ伝送を実行し続ける。端末Bのデータ伝送要件をできる限り満たすために（例えば、端末Bは、１つのシンボル内で２４個のREを占有するデータを伝送する必要が更にある）、基地局は、サブフレームn+1内でシンボル2及びシンボル3を端末Bに割り当て、周波数ドメインにおいてRB  m+1を割り当てる。端末Bは、最速で２つのシンボルの後にデータ伝送を完了することが習得できる。したがって、端末Bのデータ伝送は、遅延に対する要件を満たすことができない。
【００４３】
この出願は、時間ドメインシンボルのパンクチャ技術を提供する。端末のスケジューリング周期内で、データ伝送に使用される時間ドメインシンボルのいくつかは、パンクチャのために選択される。パンクチャされた時間ドメインシンボルは、データ伝送のために端末により使用されなくてもよく、或いはデータ伝送のために他の端末に割り当てられてもよい。このように、この周期内の時間ドメインシンボルは柔軟に割り当てられることができる。
【００４４】
具体的には、本発明の実施例は、データ伝送方法、並びにこの方法に基づく基地局及び端末を提供する。基地局は、時間ドメインシンボル設定情報を端末に送信する。時間ドメインシンボル設定情報は、データ伝送に使用され且つ端末のスケジューリング周期内にある時間ドメインシンボルの中で、端末に割り当てられた時間ドメインシンボルを示すために使用される（端末に割り当てられた時間ドメインシンボルは、スケジューリング周期内でパンクチャされていない時間ドメインシンボルとして理解されてもよく、端末に割り当てられていない時間ドメインシンボルは、スケジューリング周期内でパンクチャされた時間ドメインシンボルと考えられてもよい）。時間ドメインシンボル設定情報を受信した後に、端末は、時間ドメインシンボル設定情報により示された時間ドメインシンボル内でデータ伝送を実行し、具体的には、データを送信し、データを受信する。端末及び基地局は、スケジューリング周期内の割り当てられた時間ドメインシンボルについて合意しているため、端末は、データ伝送に使用され且つスケジューリング周期内にある全ての時間ドメインシンボル内でデータ伝送を実行する必要はない。基地局は、端末に示された時間ドメインシンボル内で端末とデータ伝送を実行し、具体的には、端末により送信されたデータを受信するか、或いはデータを端末に送信してもよい。時間ドメインシンボルを割り当てるときに、基地局は、データ伝送に使用され且つスケジューリング周期内にある時間ドメインシンボルのいくつかを端末に割り当ててもよい。したがって、スケジューリング周期内で、無線リソースが柔軟に割り当てられることができ、それにより、無線リソース利用率を改善する。本発明のこの実施例において提供される基地局は、この方法における基地局の機能を実行するように構成された機能モジュール、チップ又はモジュールを含む。本発明のこの実施例において提供される端末は、この方法における端末の機能を実行するように構成された機能モジュール、チップ又はモジュールを含む。
【００４５】
図５ａは、本発明の実施例に従ってLTEネットワークにおいて使用されるデータ伝送方法の概略図である。図５ａは、図４ｃ及び図４ｄにおけるサブフレームn+1における時間周波数リソースの割り当てを記載している。図５ａは下りリンク伝送シナリオを示す。
【００４６】
部分501において、基地局は、時間ドメインシンボル設定情報を端末Aに送信する。
【００４７】
対応して、部分501において、端末Aは、基地局により送信された時間ドメインシンボル設定情報を受信する。
【００４８】
時間ドメインシンボル設定情報は、サブフレームn+1内に端末Aに割り当てられた時間ドメインシンボルが3-13であることを示すために使用される。したがって、端末Aは、シンボル2が端末Aに割り当てられていないことを認識してもよい。
【００４９】
LTEネットワークにおいて、基地局は、下りリンク制御情報（downlink  control  information,  DCI）を使用することにより、周波数ドメインにおいて端末Aに割り当てられた周波数ドメイン範囲がRB  m及びRB  m+1であることを通知してもよい。
【００５０】
部分502において、端末Aは、時間ドメインシンボル設定情報に基づいてサブフレームn+1内のシンボル3-13内で下りリンクデータ伝送を実行し、具体的には、端末Aは、シンボル3-13内で基地局からデータを受信する。
【００５１】
対応して、部分502において、基地局は、時間ドメインシンボル設定情報に基づいてシンボル3-13内で端末Aと下りリンクデータ伝送を実行する。具体的には、基地局は、シンボル3-13内でデータを端末Aに送信する。
【００５２】
部分501及び部分502に従って、端末Aは、シンボル3-13内で、基地局により送信されたデータを受信してもよい。スケジューリングモードにより限定されずに、端末Aは、基地局により送信されたデータを受信するために、データ伝送に使用される全てのシンボル2-13を占有する必要はない。したがって、基地局は、サブフレームn+1内で周波数ドメインにおけるRB  m及びRB  m+1を端末Aに割り当ててもよく、それにより、端末Aは、サブフレームn+1内の時間周波数リソースを十分に使用でき、図４ｃに示すリソースの浪費の問題が回避され、端末Aと基地局との間のデータ伝送がより効率的且つ柔軟になり、それにより、無線リソース利用率を改善する。
【００５３】
任意選択で、部分503に示すように、パンクチャされたシンボル2は、データ伝送のために端末Bに割り当てられてもよい。
【００５４】
部分503において、端末Bは、シンボル2内で、基地局により送信されたデータを受信する。
【００５５】
対応して、部分503において、基地局は、シンボル2内でデータを端末Bに送信する。基地局は、既存の機構を使用することにより端末Bをスケジューリングしてもよい。例えば、基地局は、シンボル2が端末Bに割り当てられたことを端末Bに示すために、シンボル2内のいくつかのサブキャリアに制御情報を追加する。
【００５６】
シンボル2内の周波数ドメインにおける２つのRB内の全ての２４個のサブキャリアを占有することにより、端末Bは、基地局により送信されたデータを受信してもよく、それにより、端末Bのデータ伝送要件が満たされ、図４ｄに示す端末Bのデータ遅延問題が回避され、それにより、無線リソース利用効率を改善する。
【００５７】
部分501の実現方式では、基地局は、時間ドメインシンボル設定情報をDCIに追加し、DCIを端末Aに送信してもよい。図５ｂは、図５ａの更なる説明である。部分501’は、部分501の具体的な実現方式の１つである。図５ｂに示すように、部分501’において、基地局は、サブフレームn+1内でPDCCHを使用することにより、DCIを端末Aに送信し、具体的には、サブフレームn+1内のシンボル0-1内でDCIを端末に送信する。DCIは、時間ドメインシンボル設定情報を含む。基地局は、DCI内で、周波数ドメイン内にあり且つサブフレームn+1内で端末Aに割り当てられたRB  m及びRB  m+1を更に通知してもよい。したがって、部分502において、端末Aは、DCIに基づいて、サブフレームn+1内で割り当てられた時間周波数リソースが時間ドメインにおいてシンボル3-13を占有し、周波数ドメインにおいてRB  m及びRB  m+1を占有すると決定してもよく、割り当てられた時間周波数リソース内で基地局からデータを受信してもよい。部分501’によれば、基地局が端末Aにスケジューリングする毎に、基地局は、非常に柔軟にサブフレーム内のシンボルを動的に割り当てることができる。
【００５８】
部分501の他の実現方式では、基地局は、時間ドメインシンボル設定情報を端末に送信されるシグナリングメッセージに追加してもよい。例えば、シグナリングメッセージは、ブロードキャストメッセージ及び無線リソース制御（radio  resource  control,  RRC）メッセージを含んでもよい。図５ｃは、図５ａの更なる説明である。部分501’’は、部分501の具体的な実現方式の１つである。図５ｃに示すように、部分501’’において、基地局は、ブロードキャスト方式で時間ドメインシンボル設定情報を端末Aに送信する。基地局がサブフレームn+1内で端末Aをスケジューリングする必要があるときに、基地局は、サブフレームn+1内でPDCCHを使用することにより、DCIを端末Aに送信してもよい。DCIは、周波数ドメイン内にあり且つサブフレームn+1内で端末Aに割り当てられたRB  m及びRB  m+1を端末Aに通知するために使用される。したがって、部分502において、端末Aは、DCI及び以前に受信した時間ドメインシンボル設定情報に基づいて、サブフレームn+1内で割り当てられた時間周波数リソースが時間ドメインにおいてシンボル3-13を占有し、周波数ドメインにおいてRB  m及びRB  m+1を占有すると決定してもよく、割り当てられた時間周波数リソース内で基地局からデータを受信してもよい。部分501’’によれば、基地局は、時間ドメインシンボル設定情報が変更される必要があるときに、端末Aの時間ドメインシンボル設定情報を更新してもよく、それにより、時間ドメインシンボルの半静的な割り当てが実現でき、それにより、シグナリングオーバーヘッドを低減する。
【００５９】
任意選択で、端末Aが最初に設定されるときに、例えば、端末Aが出荷時であるとき或いはネットワークに最初にアクセスするときに、端末Aは、時間ドメインシンボル設定情報を予め設定する。このように、基地局は、時間ドメインシンボル設定情報を端末Aに送信する必要がなくてもよい。基地局がサブフレームn+1内で端末Aをスケジューリングするときに、基地局は、基地局上に予め設定された時間ドメインシンボル設定情報に基づいて、シンボル3-13内でデータを端末Aに送信し、端末Aは、端末A上に予め設定された時間ドメインシンボル設定情報に基づいて、シンボル3-13内で、基地局により送信されたデータを受信する。したがって、この場合、部分501は任意選択である。
【００６０】
任意選択の実現方式では、時間ドメインシンボル設定情報は、複数のビットにより表されてもよい。実現方式では、「011111111111」のような１２個のビットがデータ伝送に使用され且つサブフレームn+1内にある時間ドメインシンボル3-13をそれぞれ表すために使用されてもよい。「11111111111」は、シンボル3-13が端末Aに割り当てられることを表し、「0」は、シンボル2が端末Aに割り当てられないことを表す。他の実現方式では、時間ドメインシンボル設定情報は、サブフレームn+1内で端末Aに割り当てられた時間ドメインシンボルのインデックス、例えば、「3-13」でもよい。他の実現方式では、時間ドメインシンボル設定情報は、端末Aに割り当てられていない時間ドメインシンボルのインデックス、例えば、「2」でもよい。この場合、端末Aは、シンボル3-13が端末Aに割り当てられた時間ドメインシンボルであると決定してもよい。他の実現方式では、時間ドメインシンボル設定情報は、サブフレームn+1内のタイムスロット0内で端末Aに割り当てられた時間ドメインシンボルのインデックス、例えば、「4-6」でもよい。この場合、端末Aは、対称マッピング関係のような特定のマッピング関係に基づいて、タイムスロット1内のシンボル11-13もまた端末Aに割り当てられた時間ドメインシンボルであると決定してもよい。したがって、端末Aは、時間ドメイン情報に基づいて、時間ドメインシンボル「4-6及び11-13」がサブフレームn+1内で端末Aに割り当てられたシンボルであると決定してもよい。他の実現方式では、異なる時間ドメイン設定解決策が基地局及び端末A上で別々に予め設定されてもよい。例えば、設定1では、シンボル2-10が割り当てられ、設定2では、シンボル3-5が確保され、設定3では、第１のタイムスロット内の第１のシンボルが確保される。この場合、時間ドメインシンボル設定情報は、時間ドメインシンボル設定識別子でもよく、識別子は、予め設定された設定1-3の１つを識別するために使用される。
【００６１】
図５ａ、図５ｂ及び図５ｃでは、基地局は、参照信号、例えば、セル特有参照信号（cell specific  reference  signal,  CRS,  セル特有参照信号はまた、セル参照信号と呼ばれてもよい）、チャネル状態情報参照信号（channel  state  information  reference  signal,  CSI-RS）又はユーザ装置特有参照信号（user  equipment  specific  reference  signal,  UE-specific RS）を更に送信してもよい。前述の参照信号は、異なる設定に基づいてサブフレームn+1内で異なる時間ドメインシンボルに分配される。任意選択の実現方式では、基地局がサブフレームn+1内にあり且つ端末Aに割り当てられていないシンボル2内で参照信号を送信した場合、端末Aは、シンボル2内で、基地局により送信された参照信号を依然として受信できる。同様に、基地局がサブフレームn+1内にあり且つ端末Aに割り当てられた時間ドメインシンボル内で参照信号を送信した場合、端末は、このシンボル内で、基地局により送信された参照信号を受信できる。参照信号に対する処理に基づいて、端末Aのデータ伝送品質が確保できる。
【００６２】
任意選択の実現方式では、基地局は、端末Aの伝送要件に基づいて、サブフレームn+1内で端末Aに割り当てられるシンボルの数を決定してもよい。例えば、端末Aは、データを伝送するために７２個のREを必要とし、端末Aが周波数ドメインにおいて２つのRBを占有してもよい場合、基地局は、３つのシンボルを端末Aに割り当てることを決定してもよい。他の実現方式では、基地局は、端末Bの伝送要件に基づいて、サブフレームn+1内で端末Aに割り当てられるシンボルの数を決定してもよい。例えば、端末Bがデータを伝送するために４８個のREを必要とし、端末A及びBが周波数ドメインにおいて２つのRBを占有してもよい場合、基地局は、サブフレームn+1内で２つのシンボルを端末Bに割り当て、他の１０個のシンボルを端末Aに割り当ててもよい。同様に、基地局は、端末Bの伝送要件に基づいて、サブフレームn+1内で端末Bに割り当てられるシンボルの数を決定してもよく、或いは端末Aの伝送要件に基づいて、サブフレームn+1内で端末Bに割り当てられるシンボルの数を決定してもよい。
【００６３】
任意選択の実現方式では、サブフレームn+1内で端末Aに割り当てられるシンボルの数は、サブフレームn+1内の端末Aのトランスポートブロックサイズ（transport  block  size,  TBS）を決定するために使用されてもよい。具体的には、サブフレームn+1内で端末Aに割り当てられるシンボルの数は、サブフレームn+1内の端末AのTBSを決定するためのパラメータの１つである。同様に、サブフレームn+1内で端末Bに割り当てられるシンボルの数は、サブフレームn+1内の端末BのTBSを決定するためのパラメータの１つである。
【００６４】
任意選択の実現方式では、図５ａ、図５ｂ及び図５ｃから、下りリンク伝送シナリオにおいて、端末A及び端末Bに割り当てられ得る時間ドメインシンボルは、データ伝送に使用され且つサブフレームn+1内にある時間ドメインシンボルであるシンボル2-13であることが習得できる。換言すると、端末に割り当てられた時間ドメインシンボルは、PDCCHにより占有されるシンボルを含まない。
【００６５】
本発明の実施例において提供されるデータ伝送方法はまた、上りリンクシナリオにも適用できる。図６は、本発明のこの実施例に従ってLTEネットワークにおいて使用される他のデータ伝送方法の概略図である。図６は、上りリンク伝送シナリオを示す。
【００６６】
下りリンク伝送に使用されるサブフレームとは異なり、上りリンク伝送に使用されるサブフレーム内で、シンボル3及びシンボル10は、復調参照信号（demodulation  reference  signal,  DMRS）により占有され、DMRSは、端末により基地局に送信される参照信号である。シンボル0-2、4-9及び11-13は、上りリンクデータ伝送に使用され、端末に割り当てられてもよい。
【００６７】
部分601において、基地局は、時間ドメインシンボル設定情報を端末Aに送信する。
【００６８】
時間ドメインシンボル設定情報は、サブフレームf内で端末Aに割り当てられた時間ドメインシンボルが0-2、4、5及び11-13であることを示すために使用される。したがって、端末Aは、シンボル6-9が端末Aに割り当てられていないことを習得できる。
【００６９】
下りリンク伝送と同様に、基地局は、下りリンク制御情報（downlink  control  information,  DCI）を使用することにより、周波数ドメインにおいて端末Aに割り当てられた周波数ドメイン範囲がRB  m及びRB  m+1であると通知してもよい。
【００７０】
部分602において、端末Aは、サブフレームf内のシンボル0-2、4、5及び11-13内で、時間ドメインシンボル設定情報に基づいて上りリンクデータ伝送を実行し、具体的には、端末Aは、シンボル0-2、4、5及び11-13内でデータを基地局に送信する。
【００７１】
部分601及び部分602に従って、端末Aは、シンボル0-2、4、5及び11-13内でデータを送信してもよい。スケジューリングモードにより限定されずに、端末Aは、データを送信するために、データ伝送に使用される全てのシンボル0-2、4、5及び11-13を占有する必要はない。端末Aは、サブフレームf内の時間周波数リソースを十分に使用でき、図４ｃに示すのと同様のリソースの浪費の問題が回避され、端末Aと基地局との間のデータ伝送がより効率的且つ柔軟になり、それにより、無線リソース利用率を改善する。
【００７２】
任意選択で、パンクチャされたシンボル6-9は、上りリンクデータ伝送のために端末Bに割り当てられてもよい。部分603に示すように、
部分503において、端末Bは、シンボル6-9内で、データを基地局に送信する。
【００７３】
基地局は、既存の機構を使用することにより端末Bをスケジューリングしてもよい。例えば、基地局は、シンボル6-9が端末Bに割り当てられたことを端末Bに示すために、シンボル6-9内のいくつかのサブキャリアに制御情報を追加する。
【００７４】
シンボル6-9内の周波数ドメインにおける２つのRB内の全ての２４個のサブキャリアを占有することにより、端末Bは、データを基地局に送信してもよく、それにより、端末Bのデータ伝送要件が満たされ、図４ｄに示すのと同様の端末Bのデータ遅延問題が回避され、それにより、無線リソース利用効率を改善する。
【００７５】
任意選択の実現方式では、部分501と同様に、部分601において、基地局は、時間ドメインシンボル設定情報をDCI内に追加し、DCIを端末Aに送信してもよい。詳細については、部分501の説明を参照する。
【００７６】
上りリンク伝送シナリオでは、基地局は、端末が上りリンクデータを基地局に送信するサブフレームとは異なるサブフレーム内で、DCIを端末に送信する点に留意すべきである。FDDシナリオでは、基地局がサブフレームx内でDCIを端末に送信する場合、端末は、サブフレームx+4内でデータを基地局に送信する。TDDシナリオでは、基地局がサブフレームy内でDCIを端末に送信する場合、端末はサブフレームy+k内でデータを基地局に送信し、k=4、5、6又は7である。当業者は、kの値が上りリンク及び下りリンク設定とサブフレーム番号とに依存することに留意すべきである。その値は、表１に示される通りでもよい。
【表１】
2019500817.tif 000003
部分501と同様に、部分601において、基地局は、時間ドメインシンボル設定情報を、端末に送信されるシグナリングメッセージに追加してもよい。詳細については、部分501の説明を参照する。
【００７７】
任意選択の実現方式では、下りリンク伝送シナリオと同様に、時間ドメインシンボル設定情報は、代替として端末内で予め設定され、具体的には、端末の出荷時に端末内に予め設定されてもよい。
【００７８】
任意選択の実現方式において、時間ドメインシンボル設定情報、端末に割り当てられるシンボルの数の決定、及び端末のTBSの決定については、図５ａ、図５ｂ及び図５ｃの関係する説明を参照する。
【００７９】
実現方式では、上りリンク伝送シナリオでは、端末A及び端末Bに割り当てられ得る時間ドメインシンボルは、DMRSを伝送するために使用されるシンボルを含まない。このように、DMRSのためのシンボルは、端末Bに割り当てられず、端末Aは、DMRSにより占有されるシンボルを使用することにより、DMRSを基地局に送信してもよく、それにより、基地局による上りリンクデータの正確な復調又はチャネル推定を容易にする。
【００８０】
前述の実施例は、ネットワークにおいて２つの異なるスケジューリング周期が存在する例を使用することにより記載されている。当業者は、この出願の技術的解決策がまた、３つ以上の異なるスケジューリング周期が存在する場合にも適用可能になり得ることを理解し得る。
【００８１】
前述の実施例では、無線リソースをできる限り節約するために、端末Aに割り当てられていない全てのシンボルが端末Bに割り当てられる。実際には、端末Aに割り当てられていないシンボルのいくつがが実際の伝送要件に基づいて選択されて端末Bに割り当てられてもよい。
【００８２】
前述の実施例では、端末A及び端末Bは、異なるスケジューリング周期を有する。当業者は、この出願における技術的解決策が、１つのみの種類のスケジューリング周期が存在する無線ネットワークにも適用されてもよく、リソース割り当てもまた最適化できることを理解し得る。
【００８３】
本発明の実施例において提供される解決策について、主に、全てのネットワークエレメントの間の相互作用の観点から前述した。前述の機能を実現するために、端末又は基地局のような各ネットワークエレメントが、各機能を実現するための対応するハードウェア構造及び／又はソフトウェアモジュールを含むことが理解され得る。当業者は、この明細書において開示された実施例に記載のユニット及びアルゴリズムのステップの例と組み合わせて、本発明がハードウェア又はハードウェアとコンピュータソフトウェアとの組み合わせにより実現されてもよいことを容易に認識し得る。機能がハードウェアの形式で実現されるか、コンピュータソフトウェア駆動のハードウェアの形式で実現されるかは、技術的解決策の特定の用途及び設計の制約条件に依存する。当業者は、特定の用途毎に記載の機能を実現するために異なる方法を使用できるが、実現方式は本発明の実施例の範囲を超えると考えられるべきでない。
【００８４】
図５ａ、図５ｂ、図５ｃ及び図６に示す方法を実現するために、本発明の実施例は、基地局及び端末を提供する。図７は、本発明の実施例による基地局の可能な概略構成図である。基地局は、図５ａ、図５ｂ、図５ｃ及び図６において使用される基地局でもよい。
【００８５】
図７に示すように、基地局は、送信機／受信機701と、コントローラ／プロセッサ702と、メモリ703と、通信ユニット704とを含む。送信機／受信機701は、基地局と端末との間の上りリンク及び下りリンク伝送7をサポートするように構成される。コントローラ／プロセッサ702は、端末との通信のための様々な機能を実行する。上りリンク伝送中に、端末からの上りリンク伝送信号は、端末により送信されたデータ及び制御情報を回復するために、アンテナにより受信され、受信機701により復調され、コントローラ／プロセッサ702により更に処理される。下りリンク伝送中に、データ及び制御情報は、下りリンク伝送信号を生成するために、コントローラ／プロセッサ702により処理され、送信機701により復調され、アンテナを使用することにより端末に伝送される。コントローラ／プロセッサ702は、本発明の実施例、例えば、図５ａ、図５ｂ、図５ｃ及び図６において提供されるデータ伝送方法における基地局に関する処理プロセスを実行するように更に構成され、及び／又はこの出願に記載の技術の他のプロセスを実行するように構成される。例えば、コントローラ／プロセッサ702は、端末に割り当てられた時間ドメインシンボルに基づいて端末とデータ伝送を実行するように、送信機／受信機701を制御してもよい。メモリ703は、基地局のプログラムコード及びデータを記憶するように構成される。通信ユニット704は、他のネットワークエンティティと通信するように、基地局をサポートするように構成される。例えば、通信ユニット704は、図１に示すコアネットワークと通信するように、例えば、コアネットワークにおけるモビリティ管理エンティティ（mobility  management  entity,  MME）又はサービングゲートウェイ（serving  gateway,  SGW）と通信するように、基地局をサポートするように構成される。
【００８６】
実現方式では、トランシーバは、受信機及び送信機の機能を統合してもよい。したがって、図７における受信機／送信機701は、トランシーバ701と呼ばれてもよい。
【００８７】
図７は、基地局の簡略化した設計のみを示していることが理解され得る。実際の用途では、基地局は、如何なる数の送信機、受信機、プロセッサ、コントローラ、メモリ、通信ユニット等を含んでもよく、本発明を実現できる全ての基地局は、本発明の保護範囲内に入るものとする。
【００８８】
図８は、本発明の実施例による端末の可能な設計構造の簡略化した構成図である。端末は、図５ａ、図５ｂ、図５ｃ及び図６において使用される端末Aでもよい。端末は、送信機801と、受信機802と、コントローラ／プロセッサ803と、メモリ804と、モデムプロセッサ805とを含む。
【００８９】
送信機801は、出力サンプルを調整し（例えば、アナログ変換、フィルタリング、増幅又はアップコンバージョンを実行し）、上りリンク伝送信号を生成する。上りリンク伝送信号は、アンテナを使用することにより、前述の実施例における基地局に伝送される。下りリンク伝送中に、アンテナは、前述の実施例における基地局により伝送された下りリンク伝送信号を受信する。受信機802は、基地局から受信した信号を調整し（例えば、フィルタリング、増幅、ダウンコンバージョン又はデジタル化を実行し）、入力サンプルを提供する。モデムプロセッサ805では、エンコーダ806は、上りリンク伝送中に送信されるべきデータ及び制御情報を受信し、データ及び制御情報に対して処理（例えば、フォーマット化、符号化又はインターリーブ）を実行する。変調器807は、符号化されたデータ及び制御メッセージに対して処理（例えば、シンボルマッピング及び変調）を実行し、出力サンプルを提供する。復調器809は、入力サンプルを処理し（例えば、復調し）、シンボル推定を提供する。デコーダ808は、シンボル推定を処理し（例えば、デインターリーブ及び復号化し）、端末に送信されるべき復号化されたデータ及び復号化されたシグナリングメッセージを提供する。エンコーダ806、変調器807、復調器809及びデコーダ808は、統合されたモデムプロセッサ805により実現されてもよい。これらのユニットは、無線アクセスネットワークにおいて使用される無線アクセス技術（例えば、LTE及び他の進化型システムのアクセス技術）に基づいて処理を実行する。
【００９０】
コントローラ／プロセッサ803は、前述の実施例における端末Aにより実行される処理を実行するように、例えば、時間ドメインシンボル設定情報により示される時間ドメインシンボルに基づくデータ伝送、及び／又は本発明に記載の技術の他のプロセスを実行するように、送信機801又は受信機802を制御するように、端末の移動に対する制御及び管理を実行する。例では、コントローラ／プロセッサ803は、図５ａにおけるプロセス501及び502、図５ｂにおけるプロセス501’及び502、図５ｃにおけるプロセス501’’及び502、並びに図６におけるプロセス601及び602を実行するように、端末をサポートするように構成される。メモリ804は、端末により使用されるプログラムコード及びデータを記憶するように構成される。
【００９１】
送信機801及び受信機802は、一緒に統合され、トランシーバと呼ばれてもよいことが理解され得る。換言すると、トランシーバは、送信機801及び受信機802の機能を実現してもよい。コントローラ／プロセッサ803は、時間ドメインシンボル設定情報により示される時間ドメインシンボルに基づいてデータ伝送を実行するように、トランシーバを制御してもよい。
【００９２】
本発明における端末又は基地局の機能を実行するように構成されたコントローラ／プロセッサは、中央処理装置（CPU）、汎用プロセッサ、デジタルシグナルプロセッサ（DSP）、特定用途向け集積回路（ASIC）、フィールドプログラマブルゲートアレイ（FPGA）若しくは他のプログラム可能論理デバイス、トランジスタ論理デバイス若しくはハードウェアコンポーネント、又はこれらの組み合わせでもよい。コントローラ／プロセッサは、本発明に開示された内容を参照して説明した様々な論理ブロック、モジュール及び回路を実現又は実行してもよい。代替として、プロセッサは、コンピューティング機能を実現するための組み合わせ、例えば、１つ以上のマイクロプロセッサを含む組み合わせ、又はDSP及びマイクロプロセッサを含む組み合わせでもよい。
【００９３】
本発明に開示された内容を参照して説明した方法又はアルゴリズムのステップは、ハードウェア方式で実現されてもよく、或いはプロセッサによりソフトウェア命令を実行する方式で実現されてもよい。ソフトウェア命令は、対応するソフトウェアモジュールを含んでもよい。ソフトウェアモジュールは、RAMメモリ、フラッシュメモリ、ROMメモリ、EPROMメモリ、EEPROMメモリ、レジスタ、ハードディスク、取り外し可能ハードディスク、CD-ROMメモリ、又は当該技術分野において周知の他の形式の記憶媒体に記憶されてもよい。例として使用される記憶媒体は、プロセッサに結合され、それにより、プロセッサは、記憶媒体から情報を読み取ることができ、情報を記憶媒体に書き込むことができる。明らかに、代替として、記憶媒体は、プロセッサの一部でもよい。プロセッサ及び記憶媒体は、ASICに位置してもよい。さらに、ASICは、ユーザ装置に位置してもよい。明らかに、代替として、プロセッサ及び記憶媒体は、個別の組み立て品としてユーザ装置に存在してもよい。
【００９４】
当業者は、前述の例の１つ以上において、本発明において記載した機能がハードウェア、ソフトウェア、ファームウェア又はこれらのいずれかの組み合わせにより実現されてもよいことを認識すべきである。この出願がソフトウェアにより実現されるときに、これらの機能は、コンピュータ読み取り可能媒体に記憶されてもよく、或いはコンピュータ読み取り可能媒体内の１つ以上の命令又はコードとして伝送されてもよい。コンピュータ読み取り可能媒体は、コンピュータ記憶媒体及び通信媒体を含み、通信媒体は、コンピュータプログラムが１つの場所から他に伝送されることを可能にするいずれかの媒体を含む。記憶媒体は、汎用又は専用コンピュータにアクセス可能ないずれか利用可能な媒体でもよい。
【００９５】
当業者は、添付図面が単に一実施例の概略図に過ぎず、添付図面内のモジュール又はプロセスが必ずしも本発明を実現するために必要であるとは限らないことを理解し得る。
【００９６】
本発明の目的、技術的解決策及び利点について、前述の具体的な実施例において詳細に更に説明した。前述の説明は、単に本発明の具体的な実施例に過ぎず、本発明の保護範囲を限定することを意図するものではないことが理解されるべきである。本発明の真意及び原理内で行われる如何なる変更、等価置換又は改善も、本発明の保護範囲内に入るものとする。
【図１】
2019500817.tif 000004
【図２】
2019500817.tif 000005
【図３】
2019500817.tif 000006
【図４ａ】
2019500817.tif 000007
【図４ｂ】
2019500817.tif 000008
【図４ｃ】
2019500817.tif 000009
【図４ｄ】
2019500817.tif 000010
【図５ａ】
2019500817.tif 000011
【図５ｂ】
2019500817.tif 000012
【図５ｃ】
2019500817.tif 000013
【図６】
2019500817.tif 000014
【図７】
2019500817.tif 000015
【図８】
2019500817.tif 000016
【手続補正書】
【提出日】平成30年8月3日(2018.8.3)
【手続補正１】
【補正対象書類名】特許請求の範囲
【補正対象項目名】全文
【補正方法】変更
【補正の内容】
【特許請求の範囲】
【請求項１】
基地局により、第１の時間ドメインシンボル設定情報を送信するステップであり、前記第１の時間ドメインシンボル設定情報は、スケジューリング周期内に第１の端末に割り当てられた第１の時間ドメインシンボルを示すために使用され、前記スケジューリング周期は、データ伝送に使用される複数の時間ドメインシンボルを含み、データ伝送に使用される前記複数の時間ドメインシンボルは、前記第１の時間ドメインシンボルと、前記第１の端末に割り当てられていない第２の時間ドメインシンボルとを含むステップと、
前記基地局により、前記第１の時間ドメインシンボルに基づいて前記第１の端末とデータ伝送を実行するステップと
を含むデータ伝送方法。
【請求項２】
前記基地局により、前記第１の時間ドメインシンボル又は前記第２の時間ドメインシンボル内で参照信号を送信するステップを更に含む、請求項１に記載の方法。
【請求項３】
前記基地局により、第２の時間ドメインシンボル設定情報を送信するステップであり、前記第２の時間ドメインシンボル設定情報は、第２の端末に割り当てられた前記第２の時間ドメインシンボルを示すために使用されるステップを更に含む、請求項１又は２に記載の方法。
【請求項４】
前記第１の時間ドメインシンボルの数は、前記スケジューリング周期内で前記第１の端末のトランスポートブロックサイズ（TBS）を決定するために使用されるパラメータの１つである、請求項１乃至３のうちいずれか１項に記載の方法。
【請求項５】
基地局により、第１の時間ドメインシンボル設定情報を第１の端末に送信するステップは、
前記基地局により、シグナリングメッセージを使用することにより、前記第１の時間ドメインシンボル設定情報を送信するステップ、又は
前記基地局により、下りリンク制御情報（DCI）を使用することにより、前記第１の時間ドメインシンボル設定情報を送信するステップ
を含む、請求項１乃至４のうちいずれか１項に記載の方法。
【請求項６】
前記第１の時間ドメインシンボル設定情報は、時間ドメインシンボル設定識別子を含み、
前記時間ドメインシンボル設定識別子は、前記第１の時間ドメインシンボルを示すために使用され且つ前記第１の端末上に予め設定された設定を識別するために使用される、請求項１乃至５のうちいずれか１項に記載の方法。
【請求項７】
前記基地局により、前記第１の時間ドメインシンボルに基づいて前記第１の端末とデータ伝送を実行するステップは、前記基地局により、前記第１の時間ドメインシンボル内で、データを前記第１の端末に送信するステップを含み、
データ伝送に使用される前記複数の時間ドメインシンボルは、物理下りリンク制御チャネル（PDCCH）により占有される時間ドメインシンボルを含まない、請求項１乃至６のうちいずれか１項に記載の方法。
【請求項８】
前記基地局により、前記第１の時間ドメインシンボルに基づいて前記第１の端末とデータ伝送を実行するステップは、前記基地局により、前記第１の時間ドメインシンボル内で、前記第１の端末により送信されたデータを受信するステップを含み、
データ伝送に使用される前記複数の時間ドメインシンボルは、復調参照信号（DMRS）により占有される時間ドメインシンボルを含まない、請求項１乃至６のうちいずれか１項に記載の方法。
【請求項９】
第１の時間ドメインシンボル設定情報を送信するように構成されたトランシーバであり、前記第１の時間ドメインシンボル設定情報は、スケジューリング周期内に第１の端末に割り当てられた第１の時間ドメインシンボルを示すために使用され、前記スケジューリング周期は、データ伝送に使用される複数の時間ドメインシンボルを含み、データ伝送に使用される前記複数の時間ドメインシンボルは、前記第１の時間ドメインシンボルと、前記第１の端末に割り当てられていない第２の時間ドメインシンボルとを含むトランシーバと、
前記第１の時間ドメインシンボルに基づいて前記第１の端末とデータ伝送を実行するように、前記トランシーバを制御するように構成された少なくとも１つのプロセッサと
を含む基地局。
【請求項１０】
前記トランシーバは、前記第１の時間ドメインシンボル又は前記第２の時間ドメインシンボル内で参照信号を送信するように更に構成される、請求項９に記載の基地局。
【請求項１１】
前記トランシーバは、第２の時間ドメインシンボル設定情報を送信するように更に構成され、前記第２の時間ドメインシンボル設定情報は、第２の端末に割り当てられた前記第２の時間ドメインシンボルを示すために使用される、請求項９又は１０に記載の基地局。
【請求項１２】
前記第１の時間ドメインシンボルの数は、前記スケジューリング周期内で前記第１の端末のトランスポートブロックサイズ（TBS）を決定するために使用されるパラメータの１つである、請求項９乃至１１のうちいずれか１項に記載の基地局。
【請求項１３】
前記トランシーバは、
シグナリングメッセージを使用することにより、前記第１の時間ドメインシンボル設定情報を送信するか、或いは
下りリンク制御情報（DCI）を使用することにより、前記第１の時間ドメインシンボル設定情報を送信するように構成される、請求項９乃至１２のうちいずれか１項に記載の基地局。
【請求項１４】
前記第１の時間ドメインシンボル設定情報は、時間ドメインシンボル設定識別子を含み、
前記時間ドメインシンボル設定識別子は、前記第１の時間ドメインシンボルを示すために使用され且つ前記第１の端末上に予め設定された設定を識別するために使用される、請求項９乃至１３のうちいずれか１項に記載の基地局。
【請求項１５】
前記少なくとも１つのプロセッサは、前記第１の時間ドメインシンボル内で、データを前記第１の端末に送信するように、前記トランシーバを制御するように構成され、
データ伝送に使用される前記複数の時間ドメインシンボルは、物理下りリンク制御チャネル（PDCCH）により占有される時間ドメインシンボルを含まない、請求項９乃至１４のうちいずれか１項に記載の基地局。
【請求項１６】
前記少なくとも１つのプロセッサは、前記第１の時間ドメインシンボル内で、前記第１の端末により送信されたデータを受信するように、前記トランシーバを制御するように構成され、
データ伝送に使用される前記複数の時間ドメインシンボルは、復調参照信号（DMRS）により占有される時間ドメインシンボルを含まない、請求項９乃至１４のうちいずれか１項に記載の基地局。
【請求項１７】
時間ドメインシンボル設定情報を受信するように構成されたトランシーバであり、前記時間ドメインシンボル設定情報は、スケジューリング周期内に端末に割り当てられた第１の時間ドメインシンボルを示すために使用され、前記スケジューリング周期は、データ伝送に使用される複数の時間ドメインシンボルを含み、データ伝送に使用される前記複数の時間ドメインシンボルは、前記第１の時間ドメインシンボルと、前記端末に割り当てられていない第２の時間ドメインシンボルとを含むトランシーバと、
前記第１の時間ドメインシンボルに基づいてデータ伝送を実行するように、前記トランシーバを制御するように構成された少なくとも１つのプロセッサと
を含む端末。
【請求項１８】
前記トランシーバは、前記第１の時間ドメインシンボル又は前記第２の時間ドメインシンボル内で参照信号を受信するように更に構成される、請求項１７に記載の端末。
【請求項１９】
前記スケジューリング周期内の前記端末のトランスポートブロックサイズ（TBS）は、前記第１の時間ドメインシンボルの数に基づいて決定される、請求項１７又は１８に記載の端末。
【請求項２０】
前記トランシーバは、
前記時間ドメインシンボル設定情報を含むシグナリングメッセージを受信するか、或いは
前記時間ドメインシンボル設定情報を含む下りリンク制御情報（DCI）を受信するように構成される、請求項１７乃至１９のうちいずれか１項に記載の端末。
【請求項２１】
前記時間ドメインシンボル設定情報は、時間ドメインシンボル設定識別子を含み、
前記時間ドメインシンボル設定識別子は、前記第１の時間ドメインシンボルを示すために使用され且つ前記端末上に予め設定された設定を識別するために使用される、請求項１７乃至２０のうちいずれか１項に記載の端末。
【請求項２２】
前記少なくとも１つのプロセッサは、前記第１の時間ドメインシンボル内で、データを受信するように、前記トランシーバを制御するように構成され、
データ伝送に使用される前記複数の時間ドメインシンボルは、物理下りリンク制御チャネル（PDCCH）により占有される時間ドメインシンボルを含まない、請求項１７乃至２１のうちいずれか１項に記載の端末。
【請求項２３】
前記少なくとも１つのプロセッサは、前記第１の時間ドメインシンボル内で、データを送信するように、前記トランシーバを制御するように構成され、
データ伝送に使用される前記複数の時間ドメインシンボルは、復調参照信号（DMRS）により占有される時間ドメインシンボルを含まない、請求項１７乃至２１のうちいずれか１項に記載の端末。
【手続補正２】
【補正対象書類名】明細書
【補正対象項目名】００９６
【補正方法】変更
【補正の内容】
【００９６】
本発明の目的、技術的解決策及び利点について、前述の具体的な実施例において詳細に更に説明した。前述の説明は、単に本発明の具体的な実施例に過ぎず、本発明の保護範囲を限定することを意図するものではないことが理解されるべきである。本発明の原理内で行われる如何なる変更、等価置換又は改善も、本発明の保護範囲内に入るものとする。
【国際調査報告】
2019500817.tif 000017
2019500817.tif 000018
2019500817.tif 000019
2019500817.tif 000020